(57)【特許請求の範囲】
【請求項１】
１つのローカル交換機（Ｏ）内のラインカードとして構成された少なくとも１つの交換機側装置（ＬＣ）と、加入者（ＴＬＮ）の端末装置の前方または内部に配置された少なくとも１つの加入者側装置（ＮＴ）とを有しており、さらに少なくとも１つの加入者接続線路（ＳＬ）を有しており、該加入者接続線路によりそれぞれ交換機側装置および加入者側装置（ＬＣ、ＮＴ）が接続される、
加入者接続ネットワークにおける情報信号の伝送方法において、
伝送パラメータ、すなわち交換機側装置（ＬＣ）に接続された各加入者接続線路（ＳＬ）の伝送特性およびノイズ特性を測定し、
測定結果に応じて交換機側装置（ＬＣ）および加入者側装置（ＮＴ）に、最大ビットレートを決定するクロック周波数および伝送プロセスの形態が設定される
ことを特徴とする加入者接続ネットワークにおける情報信号の伝送方法。
【発明の詳細な説明】
【０００１】
【発明の属する技術分野】
本発明は、１つのローカル交換機内のラインカードとして構成された少なくとも１つの交換機側装置と、加入者の端末装置の前方または内部に配置された少なくとも１つの加入者側装置とを有しており、さらに少なくとも１つの加入者接続線路を有しており、この加入者接続線路によりそれぞれ交換機側装置および加入者側装置が接続される、加入者接続ネットワークにおける情報信号の伝送方法に関する。
【０００２】
【従来の技術】
通常通信ネットワークは加入者接続線路の領域において加入者ネットワークを処理し、この加入者接続ネットワークは１つまたは複数の交換機（ローカル交換機）を複数の加入者ないしその端末装置と接続する。それぞれの加入者接続線路の両端はローカル交換機においては交換機側の終端装置を介して接続され、加入者側では網終端装置を介して終端されている。
【０００３】
世界的規模で通信ネットワークは以前からデジタル技術によって拡張されている。ここでデジタル情報信号の伝送のために既存の加入者接続ネットワークを利用することが図られている。このことは、加入者接続ネットワークが２線式接続線路または同軸接続線路として広域に存在しているので、重要な観点である。これにより例えばグラスファイバなどの新たな線路を設置しなくても良いようになり、実際上著しい経済的利点がもたらされる。
【０００４】
上記の既存の加入者接続ネットワークはもともとは低周波情報信号の伝送、例えばアナログ電話接続または狭帯域サービス使用の場合に対して設計されている。但し加入者接続ネットワークは、上記の本来のコンセプト以外に、広帯域サービスの伝送にも適する。最近普及している手法では、加入者接続ネットワークの既存の線路がデジタル情報信号の伝送のため利用される。この例としてＡＤＳＬ（Ａｓｙｍｍｅｔｒｉｃａｌ Ｄｉｇｉｔａｌ Ｓｕｂｓｃｒｉｂｅｒ Ｌｉｎｅ）伝送方式およびＨＤＳＬ（Ｈｉｇｈ‐Ｂｉｔ Ｒａｔｅ Ｄｉｇｉｔａｌ Ｓｕｂｓｃｒｉｂｅｒ Ｌｉｎｅ）伝送方式が挙げられる。
【０００５】
加入者接続ネットワークで伝送されるビットレートは、典型的には２×６４Ｋｂｉｔ／ｓで次のように設定されている（２Ｂチャネル）。すなわち出現する最も長い接続線路を利用できるように設定されている。ただしこれにより、加入者接続ネットワークの最大可能のビットレートの大部分が比較的短い接続線路の場合には利用されない。その根拠となるのは、デジタル信号伝送の到達距離を制限する平衡２重心線の減衰量がローカル交換機と加入者との間の線路長と共に増大することである。一般的に成立つところによれば、１つの加入者接続線路が短くなければなるほど、この線路を介して伝送されるビットレートは高くなる。分かりやすくするために、例えば８ｋｍ長の加入者接続線路を仮定する。これは加入者接続ネットワークにおける最長の線路とする。従来技術では伝送容量（２Ｂ＋Ｄ）が設定されており、ケーブルは当該の最長線路８ｋｍで加入者接続ネットワークにおいて所望の動作が可能となるように使用される。このことは比較的短い加入者接続線路に対しても成立つ。当該の加入者接続線路は部分的には８ｋｍより格段に短いので、きわめて高いビットレートを伝送できることになる。
【０００６】
このように加入者接続領域の全ての加入者にとって利用可能な固定ビットレートは最長の加入者接続線路に依存して設定されるという欠点を有する。従って広帯域のサービスの情報信号の伝送に適する比較的短い加入者接続線路を加入者接続ネットワークにおいて充分に活用することができない。
【０００７】
ドイツ連邦共和国特許第４３４３９８２号明細書からデジタル情報信号のための加入者接続線路を有する加入者接続ネットワークが公知である。ここでは各伝送線路ごとに最大可能ビットレートをどのように設定したらよいかが開示されている。このために、ローカル交換機のビットパターン発生器からビットパターンが加入者接続線路を介して送信され、このビットパターンが加入者にて反射され、再び返送される。次いで交換機において、得られたビットパターンの評価が行われる。この結果に依存して最大可能ビットレートが設定される。この手段の欠点はこの解決策が著しく特異的であり、加入者接続ネットワークのいずれにおいても使用できるわけではない点である。
【０００８】
【発明が解決しようとする課題】
本発明の課題は、加入者接続ネットワークの複数の加入者接続線路をデジタル情報信号の伝送に最適に利用することのできる手段を提供することである。
【０００９】
【課題を解決するための手段】
本発明の課題は、伝送パラメータ、すなわち交換機側装置に接続された各加入者接続線路の伝送特性およびノイズ特性を測定し、測定結果に応じて交換機側装置および加入者側装置に、最大ビットレートを定めるクロック周波数および伝送プロセスの形態が設定される構成により解決される。
【００１０】
本発明の利点は、殊に交換機側装置および加入者側装置を加入者接続線路の実際の最大可能な伝送容量に合うように適応的に個々に調整できることである。これにより各加入者接続線路のいずれの加入者を介してもデジタル情報信号の最適な伝送が達成される利点が得られる。
【００１１】
【実施例】
次に実施例を用いて本発明を詳述する。
【００１２】
図１によれば本発明の方法が実施されるコンフィギュレーション構成が示されている。問題となるローカル交換機Ｏないし詳細には示されていない加入者接続線路コンセントレータに交換機側装置ＬＣが示されている（Ｌｉｎｅｃａｒｄ）。この装置ＬＣは加入者接続線路ＳＬの交換機側の終端部を形成している。加入者側接続線路ＳＬの加入者側の端部は装置ＮＴにより形成される。ここではネットワーク終端装置が使用されており、この終端装置はいずれの加入者ＴＬＮにも設けられている。例として図中に１つの加入者のネットワーク終端部ＮＴだけが示されている。加入者接続線路ＳＬは、ローカル交換機Ｏに接続された全ての加入者装置ＮＴを交換機側端部装置ＬＣと結合する。ここで全ての加入者接続線路ＳＬの合計が加入者接続ネットワークを形成する。加入者接続線路ＳＬはこの実施例では１つの平衡２線式接続線路または同軸接続線路から成るものとする。
【００１３】
加入者接続線路ＳＬの終端装置ＬＳ、ＮＴは各伝送方向に応じて、マルチプレクス装置またはデマルチプレクス装置と、クロック供給およびデジタル信号に対する伝送フレームの同期化のための装置と、それぞれの伝送プロセスに依存するデジタル信号伝送のための別の装置とを処理する。更に終端部に単方向伝送または双方向伝送に対する送受信装置が設けられており、デジタル信号が所属のビットレートでそれぞれの加入者接続線路ＳＬを介して伝送される。
【００１４】
本発明によれば、初期的な設定ないし設計配置に際して、加入者接続線路ＳＬの伝送特性およびノイズ特性が測定される。例えば問題となる個別の加入者接続線路ＳＬの減衰量が測定される。同様に他のパラメータを求めることができる。このようにして例えば（測定の著しく困難な）近端漏話ないしニアクロストークをテーブルから読み取ることができる。さらにこれを加入者線路に使用されるケーブルを介しての基準情報、または相応のケーブル束に対して実施された基準測定の基準情報からも求めることができる。測定結果に応じて、Ｎ×６４Ｋ＋１６Ｋ（２Ｂ＋Ｄ）および／または比較的高いビットレートが設定され、Ｌｉｎｅｃａｒｄが相応に調整セッティングされる。これは（アナログ）測定から例えば線路減衰度がほぼ近端漏話に相応する遮断周波数を求めることにより行われる。遮断周波数と同様に、選択されたチャネルコーディングに応じて最大ビットレートが設定される。チャネルコーディングは、種々のビットレート領域に対して種々異なったものであってよい。更にＮ×６４Ｋに対する伝送方式として、有利には狭い帯域幅のコーディングが使用される（例えばベースバンド２Ｂ１Ｑまたは搬送波ＱＡＭ、このとき８ビットが２つの時間ステップで伝送される）。
【００１５】
事後のチェック機能部を設ける際に、場合により新たに線路の伝送特性およびノイズ特性が測定され、場合により新たな調整セッティングが行われる。ビットレートの増大は、クロック周波数および場合により搬送波を増大することにより行われる。ここでこのような適応方式は、ここで生じる周波数において部材が多数となる場合でもシリコンでの集積化が極めて有利なコストで行えるように使用される。ビットエラーが所定の大きさを越えると、それまで調整セッティングされていたビットレートが１ステップだけ低減される。比較的長い時間または周期にわたってエラーが生じていなければ、場合によりそれまでに調整セッティングされたビットレートが１ステップだけ高められる。
【００１６】
大抵の場合、動作期間中はＤチャネルは利用されない。最大のビットレートを求めるために当該の時間中にＤチャネルはビットエラー測定のために１つのループにおいて利用できる。また１つの２線式線路に必要なエコーサプレッサは比較的高いビットレートの場合にも従来の形態で構成できる。搬送周波数による方式でも同様に、２つの伝送方向に対して異なる搬送波を使用する手法がエコーおよびクロストークの効果を抑圧するために適している。
【００１７】
Ｌｉｎｅｃａｒｄおよび加入者における方式のインプリメンテーションに対するチップアーキテクチャとしてＶＨＤＬから導出されたデザインが適する。特に本発明の手法で特に有利なのは、マイクロコンピュータが制御装置として使用されることである。マイクロコンピュータは主として、各国（州）に特有の特異性（例えば加入者接続ネットワークに鑑みての特異性）をファームウェアまたはソフトウェアによりインプリメンテーションするために使用される。ここでソフトウェアは別の実施形態によればリロードできる。選択的にアナログ付加機能を有する信号プロセッサＤＳＰを使用可能である。チップ上のマイクロコンピュータの他にさらにＤＳＰ装置を使用する場合、適応化のみならず変調も所定の範囲でソフトウェアごとに専用に設計できる。
【００１８】
加入者接続線路、接続装置および第１の交換平面でＮ×６４Ｋの方式を使用することにより得られる利点は、当該の装置を介してマルチメディアサービスを利用可能な線路容量に適応的に個々の加入者に提供できることである。さらに運営者は、付加的に挿入された再生器により顧客に対して所定の領域で必要に応じて改善された手段を提供できる。
【００１９】
コアネットワーク自体ではサービス（例えばインテリジェントネットワーク）をサーバの個所までＮ×６４Ｋで支援することが可能になる。選択手段としては、第１の交換機平面に従ってＡＴＭ（Ａｓｙｎｃｈｒｏｎｏｕｓ Ｔｒａｎｆｅｒ Ｍｏｄｕｓ）への移行がある。この手段は将来のマルチメディアインターネットないしポストインターネットへの最適な接続が問題となる場合に採用すべきものである。
【００２０】
さらに本発明の適応的な方法に関連するハードウェアおよびソフトウェアコンポーネントの全アーキテクチャは、エラー通報の場合にＩＳＤＮ ＢＡおよび／またはアナログの接続機能が確保されるように設計される。
【００２１】
更に加入者側終端装置ＮＴにおいて、またこれに相補的に、Ｎ×６４Ｋから１つの単位のビットストリームへの移行時に、交換装置がＮ×６４Ｋを利用する際のビットシーケンスを保証しない場合、例えばＡＴＭ Ｉｎｔｅｒｗｏｒｋｉｎｇ Ｕｎｉｔなどの装置でデジタル情報信号の伝送を更に最適化するための別の手段を講じなくてはならない。これに属する手段の例として例えば交換機、加入者、および受信端部でのシーケンス補正を有する中間メモリ間のチャネルナンバリングに対するスタートプロトコルなどがある。
【図面の簡単な説明】
【図１】本発明の方法を実施するためのコンフィギュレーション構成の概念図である。
【符号の説明】
Ｏ      ローカル交換機
ＬＣ    交換機側端部装置（終端装置）
ＮＴ    加入者側終端装置
ＳＬ    加入者接続線路
ＴＬＮ  加入者
【図１】
0003609238.tif 000002